(57)【特許請求の範囲】
【請求項１】
基地局省エネルギー制御の実現方法であって、
基地局NodeBのセルがスリープする必要がある場合、無線ネットワーク制御装置RNCがセルスリープの省エネルギー制御指示をNodeBに送信し、NodeBが前記セルをスリープさせ、省エネルギー状態に入ることと、
NodeBのセルがウェークアップする必要がある場合、RNCがセルウェークアップの省エネルギー制御指示をNodeBに送信し、NodeBが前記セルをウェークアップさせ、省エネルギー状態を脱することとを含み、
ここで、セル再配置リクエストメッセージを拡張し、前記RNCが当該拡張されたセル再配置リクエストメッセージを使用して前記省エネルギー制御指示を送信し、又は省エネルギー制御指示メッセージを新たに増加し、前記RNCが当該増加された省エネルギー制御指示メッセージを使用して前記省エネルギー制御指示を送信することを特徴とする基地局省エネルギー制御の実現方法。
【請求項２】
前記RNCがセルスリープの省エネルギー制御指示をNodeBに送信し、NodeBが前記セルをスリープさせるステップは、
RNCがNodeBのスリープ必要なセルにおけるユーザを他のセルに移させるステップ、
RNCが省エネルギー制御指示をNodeBに送信して、直ちにセルをスリープさせるようNodeBに指示するステップ、
NodeBが前記セルをスリープさせるステップ、
を含むことを特徴とする請求項1に記載の方法。
【請求項３】
前記RNCがセルスリープの省エネルギー制御指示をNodeBに送信し、NodeBが前記セルをスリープさせるステップは、
RNCが省エネルギー制御指示をNodeBに送信して、友好的にセルをスリープさせるようNodeBに指示するステップ、
NodeBがスリープ必要なセルにおけるユーザを他のセルに移させるステップ、
NodeBが前記セルをスリープさせるステップ、
を含むことを特徴とする請求項1に記載の方法。
【請求項４】
前記RNCがセルウェークアップの省エネルギー制御指示をNodeBに送信し、NodeBが前記セルをウェークアップさせるステップは、
RNCが省エネルギー制御指示をNodeBに送信して、直ちにセルをウェークアップさせるようNodeBに指示するステップ、
NodeBがセルのキャリアのパイロットチャネルパワーを稼動状態値に回復させるステップ、
を含むことを特徴とする請求項1に記載の方法。
【請求項５】
前記RNCは、NodeBが次第にスリープ必要なセルのキャリアのパイロットチャネルパワーを減少させることを制御することによって、NodeBのスリープ必要なセルにおけるユーザをほかのセルに移させることを特徴とする請求項2に記載の方法。
【請求項６】
前記NodeBは次第にスリープ必要なセルのキャリアのパイロットチャネルパワーを減少させることによって、スリープ必要なセルにおけるユーザをほかのセルに移させることを特徴とする請求項3に記載の方法。
【請求項７】
セル再配置応答メッセージを使用して、省エネルギー制御処理の成功を表し、
セル再配置失敗メッセージを使用して、省エネルギー制御処理の失敗を表し、その中省エネルギー制御の失敗を表する失敗原因を送信し、
或は、
省エネルギー制御応答メッセージを使用して、省エネルギー制御処理の成功を表し、
省エネルギー制御失敗メッセージを使用して、省エネルギー制御処理の失敗を表することを特徴とする請求項2ないし4いずれかに記載の方法。
【請求項８】
RNCとNodeBを含む基地局省エネルギー制御の実現システムであって、
NodeBのセルがスリープ必要な場合、RNCはセルスリープの省エネルギー制御指示をNodeBに送信することに用いられ、NodeBのセルがウェークアップ必要な場合、RNCはセルウェークアップの省エネルギー制御指示をNodeBに送信することに用いられ、
NodeBがRNCの省エネルギー制御指示によって、前記セルをスリープさせ、或はウェークアップさせることに用いられ、
ここで、セル再配置リクエストメッセージを拡張し、前記RNCが当該拡張されたセル再配置リクエストメッセージを使用して前記省エネルギー制御指示を送信し、又は省エネルギー制御指示メッセージを新たに増加し、前記RNCが当該増加された省エネルギー制御指示メッセージを使用して前記省エネルギー制御指示を送信することを特徴とする基地局省エネルギー制御の実現システム。
【請求項９】
前記RNCはさらに、NodeBのスリープ必要なセルにおけるユーザをほかのセルに移させ、そして省エネルギー制御指示をNodeBに送信して、直ちにセルをスリープさせるようNodeBに指示することに用いられることを特徴とする請求項8に記載のシステム。
【請求項１０】
前記RNCはさらに、省エネルギー制御指示をNodeBに送信して、友好的にセルをスリープさせるようNodeBに指示することに用いられ、前記NodeBはさらに、スリープ必要なセルにおけるユーザをほかのセルに移させることに用いられることを特徴とする請求項8に記載のシステム。
【発明の詳細な説明】
【技術分野】
【０００１】
本発明は通信分野に関し、特に基地局省エネルギー制御の実現方法及びシステムに関する。
【背景技術】
【０００２】
現在電気通信産業が次第に薄利段階に入り、電気通信オペレーターは市場占有率と業務種類の拡大、収益の増加を図ると同時、ますます省エネルギーなどの支出減少をも重視するようになっている。基地局がオペレーターエネルギーの主な消費者として、省エネルギーのキーになる。同時に普通の住民もますます基地局が作動状態で存在する電磁波輻射汚染の問題に注目するようになっている。
【０００３】
基地局省エネルギーを実現には、現在主に新型省エネルギー環境保護ピースを採用することと放熱材料に対して改良を行うこととの方式を採用し、それによって、基地局の電力消費を減少させる同時、放熱による電力消費を低下させる。しかし、該技術は、このようなピースを採用するため基地局の製造コストを増加し、同時にこのようなピースを採用しない多量の基地局が省エネルギーの目的に達しないという課題がある。
【発明の概要】
【発明が解決しようとする課題】
【０００４】
本発明が解決しようとする技術課題は、ハードウェアを変更する必要がなく、基地局省エネルギー環境保護の効果に達する基地局省エネルギー制御の実現方法及びシステムを提供することである。
【課題を解決するための手段】
【０００５】
前記課題を解決するために、本発明は基地局省エネルギー制御の実現方法を提供し、
基地局NodeBのセルがスリープする必要がある場合、無線ネットワーク制御装置RNCがセルスリープの指示をNobeBに送信し、NobeBが前記セルをスリープさせ、省エネルギー状態に入り、
NodeBのセルがウェークアップする必要がある場合、RNCがセルウェークアップの指示をNodeBに送信し、NodeBが前記セルをウェークアップさせ、省エネルギー状態を脱することを含む。
【０００６】
さらに、上記方法は以下のような特徴があってもよく、
前記RNCがセルスリープの指示をNodeBに送信し、NodeBが前記セルをスリープさせるステップは、
RNCがNodeBのスリープ必要なセルにおけるユーザを他のセルに移させるステップ、
RNCが省エネルギー制御指示をNodeBに送信して、直ちにセルをスリープさせるようNodeBに指示するステップ、
NodeBが前記セルをスリープさせるステップ。
【０００７】
さらに、上記方法は以下のような特徴があってもよく、
前記RNCがセルスリープの指示をNodeBに送信し、NodeBが前記セルをスリープさせるステップは、
RNCが省エネルギー制御指示をNodeBに送信して、友好的にセルをスリープさせるようNodeBに指示するステップ、
NodeBがスリープ必要なセルにおけるユーザを他のセルに移させるステップ、
NodeBが前記セルをスリープさせるステップ。
【０００８】
さらに、上記方法は以下のような特徴があってもよく、
前記RNCがセルウェークアップの指示をNodeBに送信し、NodeBが前記セルをウェークアップさせるステップは、
RNCが省エネルギー制御指示をNodeBに送信して、直ちにセルをウェークアップさせるようNodeBに指示するステップ、
NodeBがセルのキャリアのパイロットチャネルパワーを稼動状態値に回復させるステップ。
【０００９】
さらに、上記方法は以下のような特徴があってもよく、
前記RNCは、NodeBが次第にスリープ必要なセルのキャリアのパイロットチャネルパワーを減少させることを制御することによって、NodeBのスリープ必要なセルにおけるユーザをほかのセルに移させる。
【００１０】
さらに、上記方法は以下のような特徴があってもよく、
前記NodeBは次第にスリープ必要なセルのキャリアのパイロットチャネルパワーを減少させることによって、スリープ必要なセルにおけるユーザをほかのセルに移させることを特徴とする請求項3に記載の方法。
【００１１】
さらに、上記方法は以下のような特徴があってもよく、
セル再配置リクエストメッセージを使用して前記省エネルギー制御指示を携帯し、
セル再配置応答メッセージを使用して、省エネルギー制御処理の成功を表し、
セル再配置失敗メッセージを使用して、省エネルギー制御処理の失敗を表し、その中省エネルギー制御の失敗を表する失敗原因を携帯し、
或は、
省エネルギー制御指示メッセージを使用して前記省エネルギー制御指示を携帯し、
省エネルギー制御応答メッセージを使用して、省エネルギー制御処理の成功を表し、
省エネルギー制御失敗メッセージを使用して、省エネルギー制御処理の失敗を表することを特徴とする請求項2ないし4いずれかに記載の方法。
上記問題を解決するため、本発明はまたRNCとNodeBを含む基地局省エネルギー制御の実現システムを提供し、
NodeBのセルがスリープ必要な場合、RNCはセルスリープの指示をNodeBに送信することに用いられ、NodeBのセルがウェークアップ必要な場合、RNCはセルウェークアップの指示をNodeBに送信することに用いられ、
NodeBがRNCの指示によって、前記セルをスリープさせ、或はウェークアップさせることに用いられる。
【００１２】
さらに、上記システムは以下のような特徴があってもよく、
前記RNCはさらに、NodeBのスリープ必要なセルにおけるユーザをほかのセルに移させ、そして省エネルギー制御指示をNodeBに送信して、直ちにセルをスリープさせるようNodeBに指示することに用いられる。
【００１３】
さらに、上記方法は以下のような特徴があってもよく、
前記RNCはさらに、省エネルギー制御指示をNodeBに送信して、友好的にセルをスリープさせるようNodeBに指示することに用いられ、前記NodeBはさらに、スリープ必要なセルにおけるユーザをほかのセルに移させることに用いられる。
【００１４】
本発明は、3GPPプロトコルに基地局省エネルギー環境保護需求への支持を増加させ、基地局省エネルギー制御を実現することができ、以下の有益な効果を有し、
1、RNCでNodeBへ省エネルギー制御を行うように指示することによって、ハードウェアを変更する必要がなく基地局省エネルギー環境保護の効果に達することができ、
2、RNCがNodeBのスリープ必要なセルにおけるユーザをほかのセルに移させ、或はNodeBがスリープ必要なセルにおけるユーザをほかのセルに移させ、省エネルギースリープ状態になる過程にユーザのコール(ライン)が切れないことを保証し、
3、スリープ必要なセルにおけるユーザがほかのセルに移させた後、直ちにスリープし、省エネルギースリープ状態になる過程が速いことを保証し、
4、基地局の省エネルギー制御過程がセルの削除、再建を招くことがなく、NodeBセルは、正常状態(閉塞解除状態)、塞がる状態、省エネルギースリープ状態という3つの状態が存在することに相当する。
【図面の簡単な説明】
【００１５】
【図１】本発明実施例1のフローチャート図。
【図２】本発明実施例2のフローチャート図。
【図３】本発明実施例3のフローチャート図。
【図４】本発明実施例4のフローチャート図。
【発明を実施するための形態】
【００１６】
本発明に、RNC(無線ネットワーク制御装置)によってNodeB(ノードB、基地局)へ省エネルギー制御(あるキャリアをスリープ、ウェークアップする等の手段による)を行うように指示することで、NodeB省エネルギー環境保護の目的を達する。
【００１７】
即ち、
NodeBのセルがスリープする必要がある場合、RNCがセルスリープ指示をNobeBに送信し、NobeBが上記セルをスリープさせ、省エネルギー状態になり、
NodeBのセルがウェークアップする必要がある場合、RNCがセルウェークアップ指示をNodeBに送信し、NodeBが前記セルをウェークアップさせ、省エネルギー状態を脱する。
【００１８】
上記RNCが省エネルギー制御指示をNodeBに送信し、セルをスリープ、或はウェークアップさせるようNodeBに指示し、上記省エネルギー制御指示がセルスリープの指示とセルウェークアップの指示を含み、
上記セルスリープの指示は、直ちにセルをスリープさせる指示と友好的にセルをスリープさせる指示を含み、
上記セルウェークアップの指示は、直ちにセルをウェークアップさせる指示を含む。
【００１９】
その中、セルをスリープさせるのは以下の2つの方式を有してもよく、
方式1：セルスリープがRNCによって制御される処理は、具体的に
(1) RNCはNodeBのスリープ必要なセルにおけるユーザをほかのセルに移させ、ユーザのコールが切れることを防止し、且つ該本セルに新しくアクセスするユーザを制御し、
例えば、RNCがNodeBを制御して次第にスリープ必要なセルのキャリアのパイロットチャネルパワーを減少し、該セルにおけるユーザはパイロット信号が絶えずに減少するため、現有の移動策略によってほかのセルに切り替え、該セルに新しくアクセスするユーザも断られ、ユーザのコールが切れないことを保証するように、パイロットパワーが小さな値になった後、後続のステップにてさらにセルのキャリアのパイロットチャネル(発信)パワーを0に減らし、或はキャリアをオフするステップ、
(2)RNCはセルのすべてのユーザがいずれもほかのセルに移されたことを確保した後、RNCが省エネルギー制御指示 (直ちにセルをスリープさせる)をNodeBに送信して、直ちにセルをスリープさせるようNodeBに指示するステップ、
(3)NodeBはRNCの省エネルギー制御指示(直ちにセルをスリープさせる)を受信した後、直ちにセルをスリープさせ (セルのキャリアのパイロットチャネルパワーを0に減らし、或はキャリアをオフする)、
処理が成功した場合、NodeBが省エネルギー制御成功応答をRNCにフィードバックし、
処理が失敗した場合、NodeBが省エネルギー制御失敗応答をRNCにフィードバックし、その中に失敗原因(省エネルギー制御失敗)を携帯し、
NodeBの閉塞行為(即ちセルをスリープさせること)が再び閉塞メッセージ(BLOCK RESOURCE REQUEST)を送信してRNCに知らせることのないステップを含む。
【００２０】
方式2：セルスリープがNodeBによって制御される処理は、具体的に、
(1)RNCは省エネルギー制御指示を(友好的にセルをスリープさせること)NodeBに送信して、友好的にセルをスリープさせるようNodeBに指示するステップ、
(2)NodeBはRNCの省エネルギー制御指示(友好的にセルをスリープさせること)を受信した後、スリープ必要なセルにおけるユーザをほかのセルに移させ、ユーザのコールが切れることを防止し、且つ本セルに新たにアクセスするユーザを制御し、
例えば、NodeBは次第にスリープ必要なセルのキャリアのパイロットチャネルパワーを減少し、該キャリアにおけるユーザはパイロット信号が絶えずに減少するため、現有の移動策略によってほかのセルに切り替え、本セルに新たにアクセスするユーザも拒否されるステップ、
(3) NodeBは、ユーザのコールが切れないことを保証するように、セルのすべてのユーザがいずれもほかのセルに移されたことを確保した後、該セルをスリープさせ(セルのキャリアのパイロットチャネルパワーを0に減らし、或はキャリアをオフする)、
処理が成功した場合、NodeBが省エネルギー制御成功応答をRNCにフィードバックし、
処理が失敗した場合、NodeBが省エネルギー制御失敗応答をRNCにフィードバックし、その中、失敗原因(省エネルギー制御失敗)を携帯し、
NodeBの閉塞行為(即ちセルをスリープさせること) が再び閉塞メッセージ(BLOCK RESOURCE REQUEST)を送信してRNCに知らせることのないステップを含む。
【００２１】
その中、セルをウェークアップさせることは具体的に、
(1)RNCは省エネルギー制御指示(直ちにセルをウェークアップさせること)をNodeBに送信して、直ちにセルをウェークアップさせ、セルのパイロット信号をもとの値に回復するようNodeBに指示するステップ、
(2) NodeBはRNCの省エネルギー制御指示(直ちにセルをウェークアップさせること)を受信した後、改めてキャリアをオンにし、セルのキャリアのパイロットチャネルパワーを稼動状態値に回復し、即ち稼動を回復し、
処理が成功した場合、NodeBが省エネルギー制御成功応答をRNCにフィードバックし、
処理が失敗した場合、NodeBが省エネルギー制御失敗応答をRNCにフィードバックし、その中、失敗原因(省エネルギー制御失敗)を携帯し、
NodeBパイロット配置が回復する場合、再び閉塞解除メッセージ(UNBLOCK RESOURCE INDICATION)を送信してRNCに知らせることのないステップを含む。
【００２２】
このように、NodeBセルは正常状態(閉塞解除状態)、塞がる状態、省エネルギースリープ状態という3つの状態があることに相当する。(NBAPプロトコルはNodeBが資源の閉塞と閉塞解除操作を発動できることを規定し、一般的は、NodeBのネットワーク管理操作は人為的にセルの閉塞と閉塞解除が設置されることができ、ここでの閉塞態はNodeBが発動したセルを閉塞する操作によるセル状態である。)
広帯域符号分割多元接続(Wideband Code Division Multiple Access、略称WCDMA)システムに、RNCがNodeBのセル(Cell)の資源配分(例えばCellキャリアのパイロットチャネルパワー(CPICH Power))を変える必要がある時、RNCがセル再配置リクエスト( CELL RECONFIGURATION REQUEST)をNodeBに送信し、NodeBが処理した後、処理が成功した場合、セル再配置応答(CELL RECONFIGURATION RESPONSE)をフィードバックし、処理が失敗した場合、セル再配置失敗(CELL RECONFIGURATION FAILURE)をフィードバックする。
【００２３】
本発明には、Iubインターフェースセル再配置リクエストメッセージを拡張することができ、該メッセージを使用して省エネルギー制御指示を携帯し、省エネルギー制御指示IE(Information Element、情報要素)を増加し、該情報要素に、直ちにセルをスリープさせること、友好的にセルをスリープさせること、直ちにセルをウェークアップさせることという3つの指示を含む省エネルギー制御指示を書き込み、Iubインターフェースセル再配置失敗メッセージを拡張し、該メッセージを使用して省エネルギー制御失敗を表する失敗原因を携帯し、失敗原因IEに「省エネルギー制御失敗」を増加する。
【００２４】
25.433プロトコルメッセージにかかわる修正が以下(太字斜体、下線付き部分が新しく増加する部分である)のとおりである。
【００２５】
9.1.27CELL RECONFIGURATION REQUEST(セル再配置リクエストメッセージ)
9.1.27.1 FDD Message(周波数分割二重メッセージ)      
【表１】
0005406938.tif 000002
9.1.27.2 TDD Message(時分割二重メッセージ)
【表２】
0005406938.tif 000003
9.2.1.6Cause(原因)
【表３】
0005406938.tif 000004
【００２６】
Iubインターフェースの省エネルギー制御指示メッセージ(ENERGY SAVINGS INDICATION)を新しく増加してもよく、該メッセージを使用して省エネルギー制御指示を携帯し、その中、指示IEは、直ちにセルをスリープさせること、友好的にセルをスリープさせること、直ちにセルをウェークアップさせることという3つの指示を含む、
且つIubインターフェースの省エネルギー制御応答メッセージ(ENERGY SAVINGS RESPONSE)を新しく増加して、省エネルギー制御処理の成功を表し、Iubインターフェースの省エネルギー制御失敗メッセージ(ENERGY SAVINGS FAILURE)を新しく増加して、省エネルギー制御処理の失敗を表する。
【００２７】
本発明の基地局省エネルギー制御の実現システムはRNCとNodeBを含み、
その中、NodeBのセルがスリープする必要な場合、RNCはセルスリープの指示をNodeBに送信することに用いられ、NodeBのセルがウェークアップする必要のある場合、RNCはセルウェークアップの指示をNodeBに送信することに用いられ、
NodeBはRNCの指示によって、上記セルをスリープさせ、或はウェークアップさせることに用いられる。
【００２８】
セルスリープがRNCによって制御される場合、上記RNCはNodeBのスリープ必要なセルにおけるユーザをほかのセルに移させ、その後省エネルギー制御指示(直ちにセルをスリープさせること)をNodeBに送信して、直ちにセルをスリープさせるようNodeBに指示することに用いられる。上記RNCはNodeBを次第にスリープが必要なセルのキャリアのパイロットチャネルパワーを減少するよう制御することによって、NodeBのスリープ必要なセルにおけるユーザをほかのセルに移させる。
【００２９】
セルスリープがNodeBによって制御する処理を行う場合、上記RNCは省エネルギー制御指示(友好的にセルをスリープさせること)をNodeBに送信して、友好的にセルをスリープさせるようNodeBに指示することに用いられ、上記NodeBはスリープ必要なセルにおけるユーザをほかのセルに移させることに用いられる。上記NodeBは次第にスリープ必要なセルのキャリアのパイロットチャネルパワーを減少することによって、スリープが必要なセルにおけるユーザをほかのセルに移させる。
【００３０】
NodeBのセルがウェークアップする必要がある場合、RNCは省エネルギー制御指示をNodeBに送信して、直ちにセルをウェークアップさせるようNodeBに指示することに用いられ、NodeBはセルのキャリアのパイロットチャネルパワーを稼動状態値に回復することに用いられる。
【００３１】
以下は図面と実施例を結合して本発明の技術案をさらに詳しく説明する。
【００３２】
実施例1
本実施例にて、RNCによってセルの友好的なスリープが制御され、セル再配置リクエストメッセージ(CELL RECONFIGURATION REQUEST)を使用して省エネルギー制御指示を携帯し、セル再配置応答(CELL RECONFIGURATION RESPONSE)をフィードバックして処理の成功を表し、セル再配置失敗(CELL RECONFIGURATION FAILURE)をフィードバックして処理の失敗を表し、図1に示すように、以下のステップを含み、その中、ステップ101~104がセルスリープの処理であり、ステップ105~106がセルウェークアップの処理であり、
ステップ101：RNCはセル省エネルギー制御指示を発動する必要があるかどうかを判定し、時間帯などの決定方法で、セルがスリープ、或はウェークアップする必要があるかどうかを判定し(例えば、非祝日の夜10:00~朝7：00に部分セルをスリープさせ、ほかの時間にセルをウェークアップさせるように設置できる)、RNCはセルスリープの条件に達したと判定した後、RNCはCELL RECONFIGURATION REQUESTによってNodeBに次第にキャリアのパイロットチャネルパワーを減少させる。
【００３３】
ステップ102：NodeBは受信した後、該セルのキャリアのパイロットチャネルパワーを減少し、処理が成功した場合、CELL RECONFIGURATION RESPONSEをフィードバックし、処理が失敗した場合、CELL RECONFIGURATION FAILUREをフィードバックし、
該セルにおけるユーザはパイロット信号が絶えずに減少するため、現有の移動策略によって、ほかのセルに切り替えられ、本セルに新しくアクセスするユーザも断られる。
【００３４】
ステップ101~102がセル再配置によってキャリアのパイロットチャネルパワーを減少することは複数のセル再配置過程により完了可能で、次第にパイロットチャネルパワーを減少し、ユーザのコールが切れないことを保証する。
【００３５】
ステップ103：キャリアのパイロットチャネルパワーが一定の値に減少した後、RNCはセルのすべてのユーザがいずれもほかのセルに移したことを確保した後、RNCは拡張したCELL RECONFIGURATION REQUESTメッセージによってセルを直ちにスリープする指示を発送し、NodeBに直ちにセルをスリープするよう指示する。
【００３６】
ステップ104：NodeBは受信した後直ちにセルをスリープさせ、処理が成功した場合、CELL RECONFIGURATION RESPONSEをフィードバックし、処理が失敗した場合、CELL RECONFIGURATION FAILUREをフィードバックし、失敗原因が「省エネルギー制御失敗」である。
【００３７】
ステップ105：RNCはセル省エネルギー制御指示を発動する必要があるかどうかを判定し(時間帯などの決定方法でセルがスリープ、或はウェークアップする必要があるかどうかを判定する)、RNCはセルウェークアップの条件に達したと判定した後、RNCは拡張したCELL RECONFIGURATION REQUESTメッセージによって省エネルギー制御指示(直ちにセルをウェークアップさせること)を送信し、NodeBに直ちにセルをウェークアップさせるよう指示する。
【００３８】
ステップ106：NodeBは受信した後、直ちにセルをウェークアップさせ、処理が成功した場合、CELL RECONFIGURATION RESPONSEをフィードバックし、処理が失敗した場合、CELL RECONFIGURATION FAILUREをフィードバックし、失敗原因が「省エネルギー制御失敗」である。
【００３９】
実施例2
本実施例に、NodeBによってセルの友好的なスリープを制御し、セル再配置リクエストメッセージ(CELL RECONFIGURATION REQUEST)を使用して省エネルギー制御指示を携帯し、セル再配置応答メッセージ(CELL RECONFIGURATION RESPONSE)をフィードバックして処理の成功を表し、セル再配置失敗メッセージ(CELL RECONFIGURATION FAILURE)をフィードバックして処理の失敗を表し、図2に示すように、以下のステップを含み、その中、ステップ201~202がセルスリープの処理であり、ステップ203~204がセルウェークアップの処理であり、
ステップ201：RNCは省エネルギー制御指示を発動する必要があるかどうかを判定し、時間帯などの決定方法で、セルがスリープ、或はウェークアップされる必要があるかどうかを判定し(例えば、非祝日の夜10:00~朝7：00に部分セルをスリープさせ、ほかの時間にセルをウェークアップさせるように設置できる)、RNCはセルスリープの条件に達したと判定した後、RNCは拡張したCELL RECONFIGURATION REQUESTメッセージによってセル友好的なスリープ指示を送信して、NodeBにセルを友好的スリープさせるよう指示する。
【００４０】
ステップ202：NodeBは受信した後、自身で次第にキャリアのパイロットチャネルパワーを減少し、キャリアのパイロットチャネルパワーが一定の値に減少した後、NodeBはキャリアをオフし、処理が成功した場合、CELL RECONFIGURATION RESPONSEをフィードバックし、処理が失敗した場合、CELL RECONFIGURATION FAILUREをフィードバックし、失敗原因が「省エネルギー制御失敗」である。
【００４１】
ステップ203：RNCは省エネルギー制御指示を発動する必要があるかどうかを判定し(時間帯などの決定方法でセルがスリープ或はウェークアップする必要があるかどうかを判定する)、RNCはセルウェークアップの条件に達したと判定した後、RNCは拡張したCELL RECONFIGURATION REQUESTメッセージによってセルを直ちにウェークアップさせる指示を送信し、NodeBに直ちにセルをウェークアップせるよう指示する。
【００４２】
ステップ204：NodeBは受信した後、直ちにセルをウェークアップさせ、処理が成功した場合、CELL RECONFIGURATION RESPONSEをフィードバックし、処理が失敗した場合、CELL RECONFIGURATION FAILUREをフィードバックし、失敗原因が「省エネルギー制御失敗」である。
【００４３】
実施例3
本実施例にて、RNCによってセルの友好的なスリープを制御し、省エネルギー制御指示メッセージ(ENERGY SAVINGS INDICATION)を使用して省エネルギー制御指示を携帯し、省エネルギー制御応答メッセージ(ENERGY SAVINGS RESPONSE)を使用して処理の成功を表し、省エネルギー制御失敗メッセージ(ENERGY SAVINGS FAILURE)を使用して処理の失敗を表し、図3に示すように、以下のステップを含み、その中、ステップ301〜304がセルスリープの処理であり、ステップ305~306がセルウェークアップの処理であり、
ステップ301：RNCは省エネルギー制御指示を発動する必要があるかどうかを判定し、時間帯などの決定方法で、セルがスリープ、或はウェークアップされる必要があるかどうかを判定し、RNCはセルスリープの条件に達したと判定した後、RNCはCELL RECONFIGURATION REQUESTによってNodeBに次第にキャリアのパイロットチャネルパワーを減少させる。
【００４４】
ステップ302：NodeBは受信した後、キャリアのパイロットチャネルパワーを減少させ、処理が成功した場合、CELL RECONFIGURATION RESPONSEをフィードバックし、処理が失敗した場合、CELL RECONFIGURATION FAILUREをフィードバックし、
該セルのキャリアにおけるユーザはパイロット信号が絶えずに減少するため、現有の移動策略によって、ほかのセルに切り替えられ、本セルに新しくアクセスするユーザも断られ、
ステップ301~302がセル再配置によってパイロットパワーを減少することは多数のセル再配置過程により完了可能で、次第にパイロットパワーを減少し、ユーザのコールが切れないことを保証する。
【００４５】
ステップ303：セルのパイロットパワーが一定の値に減少した後、RNCはENERGY SAVINGS INDICATIONメッセージによってセルを直ちにスリープする指示を送信し、NodeBに直ちにセルをスリープさせるよう指示する。
【００４６】
ステップ304：NodeBは受信した後直ちにセルをスリープさせ、処理が成功した場合、ENERGY SAVINGS RESPONSEをフィードバックし、処理が失敗した場合、ENERGY SAVINGS FAILUREをフィードバックする。
【００４７】
ステップ305：RNCは省エネルギー制御指示を発動する必要があるかどうかを判定し(時間帯などの決定方法でセルがスリープ、或はウェークアップされる必要があるかどうかを判定する)、RNCはセルウェークアップの条件に達したと判定した後、RNCはENERGY SAVINGS INDICATIONメッセージによって直ちにセルをウェークアップさせる指示を送信し、NodeBに直ちにセルをウェークアップさせるよう指示する。
【００４８】
ステップ306：NodeBは受信した後、直ちにセルをウェークアップさせ、処理が成功した場合、ENERGY SAVINGS RESPONSEをフィードバックし、処理が失敗した場合、ENERGY SAVINGS FAILUREをフィードバックする。
【００４９】
実施例4
本実施例に、NodeBによってセルの友好的なスリープを制御し、省エネルギー制御指示メッセージ(ENERGY SAVINGS INDICATION)を使用して省エネルギー制御指示を携帯し、省エネルギー制御応答メッセージ(ENERGY SAVINGS RESPONSE)を使用して処理の成功を表し、省エネルギー制御失敗メッセージ(ENERGY SAVINGS FAILURE)を使用して処理の失敗を表し、図4に示すように、以下のステップを含み、その中、ステップ401〜402がセルスリープの処理であり、ステップ403~404がセルウェークアップの処理であり、
ステップ401：RNCは省エネルギー制御指示を発動する必要があるかどうかを判定し、時間帯などの決定方法でセルがスリープ、或はウェークアップされる必要があるかどうかを判定し、RNCはセルスリープの条件に達したと判定した後、RNCはENERGY SAVINGS INDICATIONメッセージによってセルの友好的なスリープ指示を送信し、NodeBに友好的にセルをスリープさせるよう指示する。
【００５０】
ステップ402：NodeBは受信した後、自身で次第にキャリアのパイロットチャネルパワーを減少し、キャリアのパイロットチャネルパワーが一定の値に減少した後、NodeBはセルをスリープさせ、処理が成功した場合、ENERGY SAVINGS RESPONSEをフィードバックし、処理が失敗した場合、ENERGY SAVINGS FAILUREをフィードバックする。
【００５１】
ステップ403：RNCは省エネルギー制御指示を発動する必要があるかどうかを判定し(時間帯などの決定方法でセルがスリープ、或はウェークアップされる必要があるかどうかを判定する)、RNCはセルウェークアップの条件に達したと判定した後、RNCはENERGY SAVINGS INDICATIONメッセージによって直ちにセルをウェークアップさせる指示を送信し、NodeBに直ちにセルをウェークアップさせるよう指示する。
【００５２】
ステップ404：NodeBは受信した後、直ちにセルをウェークアップさせ、処理が成功した場合、ENERGY SAVINGS RESPONSEをフィードバックし、処理が失敗した場合、ENERGY SAVrNGS FAILUREをフィードバックする。
【００５３】
本発明は特定の実施例を結合して叙述したにもかかわらず、本分野の当業者にとって、本発明の精神または範囲を離れないもとで、修正と変更を行うことができる。このような修正と変更が本発明の範囲と付加請求の範囲に含まれるものと見なされる。
【産業上の利用可能性】
【００５４】
本発明は基地局省エネルギー制御の実現方法を提供し、RNCによってNodeBへ省エネルギー制御を指示し、NodeBの省エネルギー環境保護の目的に達する。本発明はハードウェアを変更する必要がなく基地局省エネルギー環境保護の効果に達することができ、そして省エネルギースリープ状態になる過程が速く、且つ省エネルギースリープ状態になる過程にユーザのコールが切れないことを保証する。
【図１】
0005406938.tif 000005
【図２】
0005406938.tif 000006
【図３】
0005406938.tif 000007
【図４】
0005406938.tif 000008